(57)【特許請求の範囲】
【請求項１】
前面に開閉扉（１）を備える断熱箱体（２）の上部に温度等の表示部（３）及び設定用の摘み部を前面側に位置させ且つ断熱箱体（１）の前後幅より短寸法に前後幅を構成する冷却機（４）を載置し、冷却機（４）の前後左右及び上面を覆うカバー（５）を設け、
カバー（５）を上板（２６）と左右側板（２７）と前板（６）と後板（７）から構成し、
該カバー（５）の前板（６）と後板（７）の下縁を断熱箱体（２）の前端及び後端より外方に位置させ断熱箱体（２）との間に開口部（８、９）を設けると共に、少なくとも前板（６）側の開口部（８）の前端を断熱箱体（２）の上面より高く位置させその後端を断熱箱体（２）の上面に接近する傾斜状に形成し、
断熱箱体（２）の前面に設ける開閉扉（１）の上方に断熱箱体（２）の上面から前方に向け突出する庇（１０）を設け、
冷却機（４）の前面側に吸気口（２４）を設け、後面側に排気口（２５）を設け、
カバー（５）は、出荷時に上板（２６）と左右側板（２７）と前板（６）と後板（７）に分解した状態で断熱箱体（２）内に収容可能に構成することを特徴とする屋外用保冷庫。
【請求項２】
断熱箱体（２）の天板（１５）の後端を回動支点に、カバー（５）の前部を上方に回動可能に構成とすることを特徴とする請求項１記載の屋外用保冷庫。
【発明の詳細な説明】
【技術分野】
【０００１】
この発明は、雨水等の侵入を防止して屋外にも設置可能の屋外用保冷庫に関する。
【背景技術】
【０００２】
特許文献１には、屋外用冷蔵庫の雨水の侵入防止技術として、貯蔵庫をなす断熱箱体上部に載置する冷却ユニットを防滴カバーにより覆い、該防滴カバーの断熱箱体への取り付部の上方位置に設けるフランジを断熱箱体の天板に載置して略密閉状に構成し雨水の侵入を防止するとともに、送風機等に必要な外気導入用の開口部とフィンを前後側版に多数形成し、且つ、防滴カバーの側板外面を伝って流下する雨水が断熱箱体の天板部に伝わらない程度に断熱箱体外周部から離間して防滴カバー周縁部を設ける手段が記載されている。
【先行技術文献】
【特許文献】
【０００３】
【特許文献１】特許第２７１４３１９号公報
【発明の概要】
【発明が解決しようとする課題】
【０００４】
この発明は、農産物等を保存する屋外用保冷庫にあって、雨水等の侵入を防止し冷却機の電気的トラブル等をなくすと共にメンテナンス性にも優れる屋外用保冷庫を提供することを課題とするものである。
【課題を解決するための手段】
【０００５】
この発明は、かかる技術的課題を解決するために次のような技術的手段を構成した。すなわち、請求項１の発明では、
前面に開閉扉（１）を備える断熱箱体（２）の上部に温度等の表示部（３）及び設定用の摘み部を前面側に位置させ且つ断熱箱体（１）の前後幅より短寸法に前後幅を構成する冷却機（４）を載置し、冷却機（４）の前後左右及び上面を覆うカバー（５）を設け、
カバー（５）を上板（２６）と左右側板（２７）と前板（６）と後板（７）から構成し、
該カバー（５）の前板（６）と後板（７）の下縁を断熱箱体（２）の前端及び後端より外方に位置させ断熱箱体（２）との間に開口部（８、９）を設けると共に、少なくとも前板（６）側の開口部（８）の前端を断熱箱体（２）の上面より高く位置させその後端を断熱箱体（２）の上面に接近する傾斜状に形成し、
断熱箱体（２）の前面に設ける開閉扉（１）の上方に断熱箱体（２）の上面から前方に向け突出する庇（１０）を設け、
冷却機（４）の前面側に吸気口（２４）を設け、後面側に排気口（２５）を設け、
カバー（５）は、出荷時に上板（２６）と左右側板（２７）と前板（６）と後板（７）に分解した状態で断熱箱体（２）内に収容可能に構成することを特徴とする屋外用保冷庫の構成とする。
【０００６】
請求項２の発明では、断熱箱体（２）の天板（１５）の後端を回動支点に、カバー（５）の前部を上方に回動可能に構成とすることを特徴とする請求項１記載の屋外用保冷庫の構成とする。
【発明の効果】
【０００７】
請求項１記載の発明においては、前面に開閉扉１を備える断熱箱体２の上部に温度等の表示部３及び設定用の摘み部を前面側に位置させ且つ断熱箱体１の前後幅より短寸法に前後幅を構成する冷却機４を載置し、冷却機４の前後左右及び上面を覆うカバー５を設け、
カバー５を上板２６と左右側板２７と前板６と後板７から構成し、
該カバー５の前板６と後板７の下縁を断熱箱体２の前端及び後端より外方に位置させ断熱箱体２との間に開口部８、９を設けると共に、少なくとも前板６側の開口部８の前端を断熱箱体２の上面より高く位置させその後端を断熱箱体２の上面に接近する傾斜状に形成し、
断熱箱体２の前面に設ける開閉扉１の上方に断熱箱体２の上面から前方に向け突出する庇１０を設け、
冷却機４の前面側に吸気口２４を設け、後面側に排気口２５を設け、
カバー（５）は、出荷時に上板（２６）と左右側板（２７）と前板（６）と後板（７）に分解した状態で断熱箱体（２）内に収容可能に構成することを特徴とすることで、
冷却機４の前後端とカバー５の前後板６、７の開口部８、９までの間隔を大きくとることができ雨水の侵入を確実に防止でき、更に、該開口部８、９から冷却機４の吸、排気用の通風が可能であり、従来技術の如くカバーに通気用の開口部とフィンを打ち抜き加工したものに比しより防水性に優れたものである。
【０００８】
又、少なくともカバー５の前板６の開口部８をその前端を断熱箱体２の上面より高く位置させその後端を断熱箱体２の上面に接近する傾斜状に形成したものであるから、該開口部８から冷却機４の温度等の表示部３を容易に視認でき、更に温度設定等の操作も可能である。
【０００９】
また、断熱箱体２の前面に設ける開閉扉１の上部に該断熱箱体２から前方に向け突出する庇１０を設けたものであるから、断熱箱体２と開閉扉１との接合部からの雨水の侵入も防止できる。
また、出荷時に各部材毎に分解して断熱箱体２内に収納することができ効率的である。
請求項２の発明によると、冷却機４のメンテナンスがし易い。
【図面の簡単な説明】
【００１０】
【図１】正面図である。
【図２】平面図である。
【図３】側断面図である。
【図４】分解図である。
【図５】側断面図である。
【発明を実施するための形態】
【００１１】
この発明を実施する屋外用保冷庫の構成について説明する。断熱箱体２は左右両側板１１、１１と後板１２、及び底板１３、冷却機４からの冷気連通部を開口１４する天板１５からなり、夫々に断熱材１６、１６を内張りし箱状に構成してある。又、前側には同じく断熱材１６を内張りする開閉扉１を設けてある。１７は移動用のキャスター、１８は固定用のジャッキボルトである。
【００１２】
冷却機４は、左右幅よりも前後幅を短く構成して天板１５上に載置される。冷却機４は、一側から圧縮機１９、凝縮機２０、蒸発機２１を配置し、圧縮機１９の前側には送風ファン２２を設けこれらをカバー２３で覆うと共に、送風ファン２２の前方のカバー２３部分はスリット状に構成し冷却機４の吸気口２４を構成してある。又、カバー２３の後方部分には同様にスリット状に構成する排気口２５を設けてある。
【００１３】
凝縮機２０からの冷気は天板１５の冷気連通部をなす開口１４から断熱箱体２内に送込まれ、収納物を保冷する。
表示部３はカバー３の前部一側に設けられ、庫内の実温度や設定温度の表示部及びそれらの設定用の摘み等を設けてある。
【００１４】
カバー５は、スリット等を形成しない盲板の前板６、後板７、上板２６、左右側板２７,２７とからなり、断熱箱体２上に載置固定され冷却機４全体を覆うべく構成してある。
カバー５の左右側板２７、２７は、断熱箱体２の側板１１,１１と略同幅で立設し、更に該側板２７,２７上端に上板２６を設けてある。
【００１５】
該上板２６は断熱箱体２の前後端対応位置よりも夫々前後外方に延出させるとともに、この延出位置から前板６及び後板７を前後に傾斜して設けてある。従って該前板６及び後板７の下縁と断熱箱体２の前後端との間には開口部８,９が形成され、該開口部８,９を介してカバー５内が外気と通風可能である。
【００１６】
また、該前板６の下縁、即ち、開口部８の前端は断熱箱体２の上面より高く位置させてあり、この開口部８から内部の冷却機４の表示部３を外部から視認できると共に、調節摘み等の操作も可能である。又、該開口部８の後端は、側板２７、２７を切欠いて断熱箱体２の天板１５に連設してある。
【００１７】
開口部９も同様に構成されるか゛、冷却機４の排気口２５から排出される内部の温風をカバー５外に排出すればよく、該開口部９の高さは開口部８のそれより低くてよい。
３２は蝶番であり、断熱箱体２の天板１５後端に取着され、カバー５の両側板１１、１１後部下縁を回動自在に枢支してあり、該カバー５の前部を蝶番３２を中心に上方に回動させ、メンテナンスを可能に構成してある。なお、カバー５の前板６のみを上板２６前端に設ける蝶番（図示せず）を中心に上方へ回動可能に構成しても同様の機能を奏しうる。
【００１８】
カバー５の前板６は、全部、又はその一部を透明又は半透明材で構成すればより視認性を向上させ得る。
庇１０は、断熱箱体２の開閉扉１上方を覆うものであり、天板１５上面から前方に向け突出してありカバー５等から流下する雨水の断熱箱体２内への侵入を防止する。
【００１９】
又、カバー５は、図４に示す如く前後板６,７と左右側板２７,２７及び上板２６を格別に製作し、各部をボルト２８止め等にて組立可能に構成しておけば、出荷時に各部材毎に分解して断熱箱体２内に収納することができ効率的である。
【００２０】
図５、に示すものは、断熱箱体２の他の実施例であり、該断熱箱体２の左右上下にスプロケット２９,２９を回転自在に軸架し、この間に左右一対のチエン３０、３０を巻き掛けるとともに、該左右のチエン３０,３０間に上部を回動自在に枢支する載置台３１を複数設けたものであり、開閉扉１を開け米袋等を載置台３１上に搭載する際チエン３０を回転させれば奥側の載置台３１上にも手前側から容易に積み込むことができる。
【００２１】
冷却機４は、断熱箱体２の上部に温度等の表示部３を前面側に位置させ且つ断熱箱体２の前後幅より短寸法に前後幅を構成して載置され、且つ、前面側に吸気口２４が後面側に排気口２５が設けられており、冷却機４の前後の大きな空間の存在によりカバー５の開口部８から送風ファン２２により吸引される外気は円滑に圧縮機１９、凝縮機２０等を冷却した後排気口２５から排出される。
【００２２】
冷却機４の蒸発機２１により生成される冷気は、開口１４から断熱箱体２内へ送られ収納物を保冷する。
カバー５の前板６と後板７の開口部８、９は、その下端を断熱箱体２の上面より高く位置させその位置から断熱箱体２の上面に接近する傾斜状に形成したものであるから、冷却機４の前後端とカバー５の前後板６、７の開口部８、９までの間隔を大きくとることができ冷却機４への雨水の侵入を確実に防止でき、更に、該開口部８、９から冷却機４の吸、排気用の通風が可能であり、従来技術の如くカバーに通気用の開口部とフィンを打ち抜き加工したものに比しより防水性に優れたものである。
【００２３】
又、少なくともカバー５の前板６の開口部８をその前端を断熱箱体２の上面より高く位置させその後端を断熱箱体２の上面に接近する傾斜状に形成したものであるから、該開口部８から冷却機４の温度等の表示部３を容易に視認でき、又、温度等の設定用摘みの調節も該開口部８から手を入れて可能である。
【符号の説明】
【００２４】
１  開閉扉
２  断熱箱体２
３  表示部
４  冷却機
５  カバー
６  前板
７  後板
８  開口部
９  開口部
１０  庇
【図１】
0005776147.tif 000002
【図２】
0005776147.tif 000003
【図３】
0005776147.tif 000004
【図４】
0005776147.tif 000005
【図５】
0005776147.tif 000006